(57)【要約】      （修正有）【課題】継手に負荷が集中しにくく、継手の変形や破損が起きにくい鉄棒器具を提供する。【解決手段】水平に設置される鉄棒シャフト１０と地面に垂直に設置される２つの支柱２０とが設けられている。さらに、鉄棒シャフトと支柱が垂直になるよう鉄棒シャフトの一端部と他端部のそれぞれと２つの支柱の上端部を接続する２つの継手３０と、一端が継手と接続し、他端が地面に固定される支持部材５０とが設けられている。鉄棒シャフトのしなりに応じ、継手が支柱に対して変動できるように、支柱と継手とが互いに対して移動可能に接続しており、支持部材が継手を引っ張って上方から支柱に押し付けることで継手と支柱とが互いに接続した状態に維持されている。【選択図】図１
0003203976.tif 000002
【実用新案登録請求の範囲】
【請求項１】
水平に設置される鉄棒シャフトと、
地面に垂直に設置される２つの支柱と、
前記鉄棒シャフトと前記支柱が垂直になるよう前記鉄棒シャフトの一端部と他端部のそれぞれと２つの前記支柱の上端部を接続する２つの継手と、
一端が前記継手と接続し、他端が地面に固定される支持部材とを有し、
前記支柱と前記継手とが互いに対して移動可能に接続しており、前記支持部材が前記継手を引っ張って上方から前記支柱に押し付けることで前記継手と前記支柱とが互いに接続した状態に維持されていることを特徴とする鉄棒器具。
【請求項２】
前記継手が貫通孔を有しており、
前記貫通孔に掛けられたフックに前記支持部材の一端が掛けられることで、前記継手と前記支持部材が接続していることを特徴とする請求項１に記載の鉄棒器具。
【請求項３】
前記支持部材が、
前記継手と接続する継手接続部材と、
地面に固定される地面固定部材と、
前記継手接続部材と前記地面固定部材とを接続する鎖とを有しており、
前記継手接続部材及び前記地面固定部材の少なくともいずれか１つに前記鎖が掛け位置を変更可能に掛けられていることを特徴とする請求項１又は２に記載の鉄棒器具。
【請求項４】
前記支柱と前記継手の接続部における前記支柱と前記継手の間に緩衝材を有することを特徴とする請求項１〜３のいずれか１項に記載の鉄棒器具。
【考案の詳細な説明】
【技術分野】
【０００１】
本考案は、鉄棒器具に関する。
【背景技術】
【０００２】
鉄棒器具は、公園や小学校のグラウンドに設置されている。一般的に、特許文献１の図３に示すような鉄棒器具が設置されている。鉄棒器具は、多数の子供等により使用されるため、高い耐久性が求められる。水平に設置される鉄棒シャフトの両端部と支柱とは、継手等を介し、溶接やボルト等を用いて強固に固定される。
【先行技術文献】
【特許文献】
【０００３】
【特許文献１】実公昭５８−０３１５７２
【考案の概要】
【考案が解決しようとする課題】
【０００４】
鉄棒を使用する際、使用者は鉄棒を把持しつつさまざまな運動を行う。このため、鉄棒シャフトにはさまざまな方向から使用者の体重がかかり、鉄棒シャフトがしなるように変動する。これによる負荷は、鉄棒シャフトの両端部と支柱とを強固に固定した継手に集中しやすい。継手に負担が集中すると、継手が変形したり破損したり、さらには、鉄棒シャフトが継手から外れるおそれがある。
【０００５】
本考案の目的は、継手に負荷が集中しにくく、継手の変形や破損が起きにくい鉄棒器具を提供することである。
【課題を解決するための手段】
【０００６】
本考案は、水平に設置される鉄棒シャフトと、地面に垂直に設置される２つの支柱と、前記鉄棒シャフトと前記支柱が垂直になるよう前記鉄棒シャフトの一端部と他端部のそれぞれと２つの前記支柱の上端部を接続する２つの継手と、一端が前記継手と接続し、他端が地面に固定される支持部材とを有し、前記支柱と前記継手とが互いに対して移動可能に接続しており、前記支持部材が前記継手を引っ張って上方から前記支柱に押し付けることで前記継手と前記支柱とが互いに接続した状態に維持されていることを特徴とする鉄棒器具である。
【０００７】
本考案の鉄棒器具は、鉄棒シャフトと支柱が継手を介し接続している。継手は支柱とは、互いに対して移動可能に接続している。継手が支持部材により地面に固定され、支持部材が継手を引っ張り上方から支柱に押し付けることで、継手と支柱が接続した状態が維持される。これによって鉄棒シャフトと支柱が継手を介して接続された状態となる。
【０００８】
上記のような構造により、鉄棒器具の使用時に、鉄棒シャフトにさまざまな方向から使用者の体重がかかっても、鉄棒シャフトのしなりに応じ、継手が支柱に対して変動する。この変動によって継手にかかる負荷が軽減される。したがって、継手に負荷が集中しにくく、継手の変形や破損が起きにくい。
【０００９】
また、本考案は、前記継手が貫通孔を有しており、前記貫通孔に掛けられたフックに前記支持部材の一端が掛けられることで、前記継手と前記支持部材が接続していてもよい。これによると、フックから支持部材を取り外すことで、容易に継手と支持部材の接続を解くことが可能であるため、鉄棒器具を分解して保管しやすい。
【００１０】
また、本考案は、前記支持部材が、前記継手と接続する継手接続部材と、地面に固定される地面固定部材と、前記継手接続部材と前記地面固定部材とを接続する鎖とを有しており、前記継手接続部材及び前記地面固定部材の少なくともいずれか１つに前記鎖が掛け位置を変更可能に掛けられていてもよい。これにより、継手接続部材及び地面固定部材の少なくともいずれか１つの鎖の掛け位置を変更することで支持部材の長さを変更することができるので、鉄棒器具の高さを変更する場合や、地盤条件に合わせて支持部材の地面への固定場所を変更する場合等に有益である。
【００１１】
また、本考案は、前記支柱と前記継手の接続部における前記支柱と前記継手の間に緩衝材を有していてもよい。これによると、鉄棒器具の使用時に継手が支柱に対して移動した際に、継手または支柱がきしんで、音が鳴ることを防ぐことができる。
【図面の簡単な説明】
【００１２】
【図１】本考案の一実施形態における鉄棒器具の設置状態を示す概略正面図である。
【図２】図１における鉄棒シャフト、継手、及び支柱の接続方法を示す分解図である。
【図３】図２のＡＢ方向及びＣＤ方向の両方に沿った継手の断面に関する断面図である。
【図４】図１における継手の一部の部材の底面図である。
【図５】図１における、支持部材の一部拡大図である。
【考案を実施するための形態】
【００１３】
以下、本考案の一実施形態に係る鉄棒器具について、図１〜図５を用いて説明する。図１に示すように、鉄棒器具１は、鉄棒シャフト１０、２つの支柱２０、２つの継手３０、及び４つの支持部材５０を有する。鉄棒シャフト１０は、鋼で作られた円筒である。鉄棒シャフト１０の両端は、ネジとなっており、後述する継手３０と接続し固定される。素材は、鋼の他、グラスファイバー等の従来公知の鉄棒シャフトに適した素材が使用される。
【００１４】
支柱２０は、後述する継手３０と接続する支柱上半部２２及び支柱下半部２１からなる。支柱上半部２２は鋼で作られた円筒である。支柱上半部２２の外径は、継手３０の内径より一回り小さい。支柱上半部２２は、人の体重を支えることが可能な程度に頑丈な従来公知の素材が使用されてよい。支柱上半部２２には、円筒の中心軸を中心に１８０度離れて対面するように２つの孔２３が対になって形成されている。また、孔２３の対が支柱上半部２２の長手方向に等間隔に並ぶように複数形成されている。
【００１５】
支柱下半部２１は、鋼で作られた円筒である。支柱下半部２１の内径は、支柱上半部２２の外径より一回り大きい。支柱下半部２１は、支柱上半部２２同様、従来公知の素材が用いられてよい。支柱下半部２１の上端部には、円筒の中心軸を中心に１８０度離れて対面するよう２つの孔２４が形成されている。支柱上半部２２は、孔２３及び孔２４の位置が互いに重なるように支柱下半部２１に差し込まれていると共に、Ｌ字固定具４０が２つの孔２３及び２つの孔２４を貫通するようにこれらの孔に差し込まれている。これによって、支柱上半部２２及び支柱下半部２１が互いに固定されている。さらに蝶ナット４１でＬ字固定具４０が支柱２０に固定されている。鉄棒器具１を高くする場合は、より下方の孔２３の位置と支柱下半部２１の孔２４の位置とを合わせればよい。また、鉄棒器具１の高さを低くする場合は、より上方の孔２３の位置と孔２４の位置とを合わせればよい。なお、蝶ナット４１はなくともよいし、六角ナットでもよい。
【００１６】
図２に示すように、継手３０は、鋼等で作られた継手湾曲部３１、継手挿入部３２、及び継手延長部３３からなる。なお、図２中、上下左右の各方向をＡＢＣＤの各方向と規定する（図３においても同様である）。継手湾曲部３１はＣ方向からＢ方向に向けて湾曲した円筒状の部材である。継手湾曲部３１は、Ｃ方向に開口した開口部３１ａと、Ｂ方向に開口した開口部３１ｂとを有する。開口部３１ｂ付近には、２つの貫通孔３１ｃが形成されている。２つの貫通孔３１ｃは、図２及び図３に示すように、前後方向に関して対面するように形成されている。
【００１７】
貫通孔３１ｃにはフック７０が掛けられている。フック７０は、鋼等で作製されている。図４に示すように、フック７０の鉤型の部分が継手湾曲部３１の外部に配置されるようにフック７０が貫通孔３１ｃに挿入されている。フック７０の継手湾曲部３１内の部分にはナット８０が固定されている。
【００１８】
図２に示すように、継手挿入部３２は、Ｄ方向に凸状の円筒状の部材である。継手挿入部３２は、金ネジソケット３２ｃ及びパイプ３２ｄからなる。金ネジソケット３２ｃはＣ方向に開口した開口部３２ａと、Ｄ方向に開口した開口部３２ｂとを有する。図３に示すように金ネジソケット３２ｃの内壁には、開口部３２ａから奥に向かって３分の２ほどの範囲にわたって延びるネジ部が形成されている。残りの３分の１ほどの範囲は凹凸のない滑らかな表面に形成されている。金ネジソケット３２ｃの外径は、継手湾曲部３１の内径よりわずかに小さい。パイプ３２ｄは、Ｃ方向に開口した開口部３２ｅと、Ｄ方向に開口した開口部３２ｆとを有する。パイプ３２ｄの外径は、金ネジソケット３２ｃの内径よりわずかに小さい。パイプ３２ｄは、金ネジソケット３２ｃに挿入され、図３に示す溶接個所（金ネジソケット３２ｃの開口部３２ｂ及びパイプ３２ｄの外壁）において金ネジソケット３２ｃに溶接されている。
【００１９】
継手延長部３３は、Ａ方向に開口した開口部３３ａ及びＢ方向に開口した開口部３３ｂを有する円筒状の部材である。継手延長部３３の径は、継手湾曲部３１の径と同様の大きさである。開口部３３ｂにはＢ方向から支柱２０が挿入されている。支柱２０の上端部（支柱上半部２２の上端部）は、継手３０内でナット８０と接触している。支柱２０の上端部（支柱上半部２２の上端部）の外径は、上記の通り継手３０の内径より一回り小さい。このため、図３に示すように、支柱２０の上端部と継手３０とは水平方向に関して離隔している。
【００２０】
継手湾曲部３１と継手挿入部３２については、図３に示す箇所における溶接により固定されている。開口部３２ｆのＡ方向の外壁の一部と、それに近接する継手湾曲部３１の内壁が溶接により固定されている。開口部３１ａ全体とそれに近接する継手挿入部３２の外壁が溶接により固定されている。継手湾曲部３１と継手延長部３３については、図３に示す箇所における溶接により、開口部３１ｂと開口部３３ａが固定されている。
【００２１】
支持部材５０は、図１及び図５に示すように、鋼等で作製された継手接続部材５１、鎖５２、及び地面固定部材５３からなる。継手接続部材５１は細い棒状であり、両端はフック部５１ａを形成している。継手接続部材５１はワイヤー等でもよい。一方のフック部５１ａは、取り外し可能に鎖５２に掛けられている。また、他方のフック部５１ａは取り外し可能にフック７０に掛けられている。これにより、フック７０から支持部材５０を取り外すことで、容易に継手３０と支持部材５０の接続を解くことが可能であるため、鉄棒器具を分解して保管しやすい。なお、図１では、支持部材５０が２つのみ示されているが、鉄棒シャフト１０及び２本の支柱２０に沿った平面に関して図１の２つの支持部材５０と対称な位置にもさらに２つの支持部材５０が配置されるとともに、その２つの支持部材５０がフック７０に掛けられている。
【００２２】
鎖５２は、鎖素子５２ａが複数連なって構成されている。継手接続部材５１と地面固定部材５３がいずれかの鎖素子５２ａに掛けられている。
【００２３】
地面固定部材５３は、杭部５７及び鎖固定部５８からなる。杭部５７は、板状部材５７ａと接続部５７ｂからなる。板状部材５７ａは、アングルの一端部を先細りに尖るように切り落とした形状を有している。接続部５７ｂは、棒状の部材が半円状に湾曲した部材である。接続部５７ｂは、板状部材５７ａの短辺の上端部に固定されている。接続部５７ｂには、後述する鎖固定部５８が掛けられる。
【００２４】
鎖固定部５８は、本体部５５及び２つのフック部５４からなる。本体部５５は、矩形の角筒の形状で両端が先細りの形状をしている。矩形部分の側面には孔５５ａが貫通している。２つのフック部５４が本体部５５の両端に接続されている。２つのフック部５４は、本体部５５の孔５５ａを通じてナット等によって本体部５５の両端に取り付けられている。一方のフック部５４は、杭部５７の接続部５７ｂに取り外し可能に掛けられ、他方のフック部５４は鎖５２の鎖素子５２ａに取り外し可能に掛けられている。
【００２５】
以下に、鉄棒器具１の組み立て方法について、図１、２及び５を用いて説明する。鉄棒シャフト１０の両端部を２つの継手３０の開口部３２ａのそれぞれに挿入しネジを締めることで、継手３０及び鉄棒シャフト１０を固定する。
【００２６】
次に、継手３０の開口部３３ｂに支柱上半部２２を挿入して、継手３０と支柱２０を接続する。支柱上半部２２の外径は、継手３０の内径より一回り小さいため、支柱上半部２２と継手３０とは互いに対して移動可能に接続している。
【００２７】
次に、継手３０と接続した端部とは逆側の支柱２０の端部（支柱下半部２１の端部）を、地面に突き立てる。２つの支柱２０をそれぞれ継手３０と接続した後、２つの支柱２０を地面に突き立てても良いし、一方の支柱２０を継手３０と接続し、その支柱２０を地面に突き立ててから、他方の支柱２０を継手３０と接続して地面に支柱２０を突き立ててもよい。
【００２８】
次に、鉄棒器具１の所望の高さに合わせて、支柱下半部２１の孔２４に対する支柱上半部２２の孔２３の位置を決め、孔２４と孔２３にＬ字固定具４０を挿入し、Ｌ字固定具４０を蝶ナット４１で支柱上半部２２及び支柱下半部２１に固定する。
【００２９】
次に、フック７０に支持部材５０の継手接続部材５１のフック部５１ａを掛けて、継手３０及び支持部材５０を互いに接続する。そして、地面への支持部材５０の固定位置を決める。かかる地面への支持部材５０の固定位置に対し、支持部材５０が長い場合や短い場合は、鎖固定部５８のフック部５４と鎖５２の鎖素子５２ａとの掛け位置を変更してフック部５４と鎖５２とを接続する。その後、杭部５７を地面に突き刺して支持部材５０を固定する。これにより、継手３０が支持部材５０により地面に固定され、支持部材５０が継手３０を引っ張り上方から支柱２０に押し付ける。より具体的には、ナット８０が継手湾曲部３１内で支柱２０の上端部に押し付けられる。なお、鎖固定部５８に対して杭部５７が垂直になるよう杭部５７を地面に突き刺すと、杭部５７が地面から抜けにくい。
【００３０】
鎖固定部５８への鎖５２の掛け位置を変更することで、支持部材５０の長さを変更することができるので、鉄棒器具１の高さを変更する場合や、地盤条件に合わせて支持部材５０の地面への固定場所を変更する場合等に有益である。また、地面固定部材５３への鎖５２の掛け位置を変更すること、あるいは、継手接続部材５１への鎖５２の掛け位置及び地面固定部材５３への鎖５２の掛け位置の両方を変更することで、支持部材５０の長さを変更してもよい。
【００３１】
上記のような構造により、鉄棒器具１は、鉄棒シャフト１０と支柱２０が継手３０を介し接続している。上記の通り、支柱上半部２２の外径は継手３０の内径より一回り小さいため、図３に示すように、支柱２０と継手３０とは水平方向に関して離隔している。したがって、継手３０と支柱２０とは互いに対して水平方向に移動可能である。また、継手３０が支持部材５０により地面に固定され、支持部材５０が継手３０を引っ張り上方から支柱２０に押し付けることで、継手３０と支柱２０が接続した状態が維持されている。これによって鉄棒シャフト１０と支柱２０が継手３０を介して接続された状態となる。
【００３２】
よって、鉄棒器具１の使用時に、鉄棒シャフト１０にさまざまな方向から使用者の体重がかかっても、鉄棒シャフト１０のしなりに応じ、継手３０が支柱２０に対して水平方向に変動する。この変動によって継手３０にかかる負荷が軽減される。したがって、継手３０に負荷が集中しにくく、継手３０の変形や破損が起きにくい。なお、支柱上半部２２を継手３０に挿入する際に、緩衝材としてゴム製のチューブ等を支柱２０の上端部に巻きつけてから、挿入してもよい（図示なし）。これにより、支柱上半部２２の上端部と継手３０との間に緩衝材が介在することになる。よって、鉄棒器具１の使用時に、継手３０が支柱２０に対して移動した際に、継手３０と支柱２０の接触によるきしみで音が鳴ることを防ぐことができる。支柱上半部２２の上端部に巻きつけるのは、ゴム製のチューブでなくとも布等でもよい。
【００３３】
以上は、本考案の好適な実施形態についての説明であるが、本考案は上述の実施形態に限られるものではなく、課題を解決するための手段に記載された範囲の限りにおいて様々な変更が可能なものである。以下、上述の実施形態に係る変形例について説明する。また、上述の実施形態と共通の部分については上述と同じ符号を用いると共に、説明を適宜省略する。
【００３４】
上述の実施形態では、支柱２０の端部を地面に突き刺して支柱２０を固定しているが、支柱２０の端部に矩形の台座等が固定されており、その台座を地面に設置することで支柱２０が固定されてもよい。
【００３５】
上述の実施形態では、２つの支持部材５０が１つの継手３０と接続している。貫通孔３１ｃが３つ以上あり、３つ以上の支持部材５０が１つの継手３０と接続していてもよい。
【００３６】
上述の実施形態では、支柱２０は支柱下半部２１及び支柱上半部２２からなることで、支柱２０の長さを変更できるが、支柱は１つの部品からなり長さが変更できなくともよい。
【００３７】
上述の実施形態では、板状形状の構成を有する杭部５７を使用しているが、テント等の設置に利用される、フック部を有する棒状の杭を使用してもよい。
【符号の説明】
【００３８】
１  鉄棒器具
１０  鉄棒シャフト
２０  支柱
３０  継手
３１ｃ  貫通孔
５０  支持部材
５１  継手接続部材
５２  鎖
５３  地面固定部材
７０  フック
【図１】
0003203976.tif 000003
【図２】
0003203976.tif 000004
【図３】
0003203976.tif 000005
【図４】
0003203976.tif 000006
【図５】
0003203976.tif 000007